(57)【要約】【課題】本発明は、爪厚の薄い爪や老化し脆性化の進んだ爪等へ発症した陥入爪に対しても、施術者の制御下で陥入爪部に無理な負担を強いることなく矯正治療を行うことができる固定形状型の塑性加工矯正法による陥入爪矯正具の提供を課題とする。【解決手段】本発明の陥入爪矯正具Ｋａは、略Ｕ字状に折り曲げられて互いに対向し陥入爪を挿入する収容間隙１１を形成する第１押圧脚部２１と第２押圧脚部２２とその結合部２３からなる塑性加工構造１Ａを備え、収容間隙１１に挿入された該陥入爪を第１押圧脚部２１と第２押圧脚部２２とを適宜な押圧力で塑性加工して該陥入爪を略平状に矯正し挟持することを特徴とする。【選択図】図１
2008295982.tif 000002
【特許請求の範囲】
【請求項１】
陥入爪矯正具は、略Ｕ字状に折り曲げられて互いに対向し陥入爪を挿入する収容間隙を形成する第１押圧脚部と第２押圧脚部とそれら脚部の結合部からなる塑性加工構造を備え、該収容間隙に挿入された該陥入爪を該第１押圧脚部と該第２押圧脚部とを適宜な押圧力で該塑性加工構造部を塑性加工して所望な爪形状へ矯正しながら挟持することで矯正治療が施せることを特徴とする、塑性加工矯正法による陥入爪矯正具。
【請求項２】
請求項１記載の陥入爪矯正具の該収容間隙が該陥入爪を嵌入できるよう該収容間隙を形成する該第１押圧脚部と該第２押圧脚部と該結合部のうち少なくとも一箇所へ適宜な蛇腹構造を具備することで該収容間隙を該陥入爪の形状に合わせて略湾曲状に塑性加工ができることを特徴とする、塑性加工矯正法による陥入爪矯正具。
【請求項３】
請求項１に記載の陥入爪矯正具の該塑性加工構造をなす該第１押圧脚部と該第２押圧脚部の少なくとも一方の爪接触部に脱落防止構造を具備したことを特徴とする、塑性加工矯正法による陥入爪矯正具。
【請求項４】
請求項１に記載の陥入爪矯正具の該塑性加工構造をなす該第１押圧脚部と該第２押圧脚部の少なくとも一方の適宜箇所に補強構造を具備したことを特徴とする、塑性加工矯正法による陥入爪矯正具。
【請求項５】
請求項１に記載の陥入爪矯正具の該塑性加工構造を形成する該第１押圧脚部と該第２押圧脚部とそれら脚部の結合部の適宜箇所から選択された少なくとも一箇所に該収容間隙の閉口を固定できるストッパ構造を具備していることを特徴とする、塑性加工矯正法による陥入爪矯正具。
【発明の詳細な説明】
【技術分野】
【０００１】本発明は、陥入爪の保存療法に係り、特に、矯正治療の陥入爪矯正具に関する。
【背景技術】
【０００２】従来の陥入爪矯正具は、陥入爪の保存療法を行うために提供され、医療施設をはじめフットケアサロンやネイルサロン等で使用されている。陥入爪の矯正具を大別すると、矯正具本体の弾性変形による張力または復元力を利用した矯正具群では、爪甲面に固着して用いる樹脂製や金属製のプレート（例えば、特許文献１参照）または形状記憶樹脂製や形状記憶合金製のプレート（例えば、特許文献２参照）、ワイヤーを片側爪縁から爪甲面を渡り他爪縁へ係止し張力を用いて矯正する方法（例えば、特許文献３並びに特許文献４参照）。または梃子や圧力の原理を用いて爪に作用させる矯正具群では、断面Ｊ型の先端溝を備えた陥入爪の矯正具（例えば、特許文献５参照）。爪加熱プレス式のつめ矯正器（例えば、特許文献６参照）を用いた矯正治療が開示されている。【０００３】
【特許文献１】特許第３５１９８５８号公報
【特許文献２】特許第２６４８７３５号公報
【特許文献３】実登第２５２７１２５号公報
【特許文献４】特許第３５３０９０１号公報
【特許文献５】特許第３３９３８６５号公報
【特許文献６】実開昭５４−１５３３８９号公報
【発明が解決しようとする課題】
【０００４】湾曲状に変形した陥入爪の場合、爪縁部の爪甲面は劈開化しているため、そこから爪の水分が蒸発し過乾燥を起こしていたり、また汗等を吸収し水分の過吸水による膨張を起こしていたり等で、いずれにしても脆性化が進んでいるのだが、従来の矯正具で治療した場合、施術者が該矯正具を装着してしまうと爪の変化に適時対応した矯正力の制御が行えないため、矯正中に劈開を起こしてしまったり、生爪をはいでしまったりという問題があった。
【０００５】また、矯正具の先端溝に陥入爪を挿入し軟部組織に食い込む湾曲方向と逆らうような矯正方向へ操作し爪形を修復するＪ字状の本体を持つ陥入爪矯正具による治療の場合、脆性化が進んでいる陥入爪であっても無理に引き起こす矯正法のため他の手段の選択は無いことから陥入爪の治療には不向きである。また、爪加熱プレス式の爪矯正器の場合、美容のために考案されたもので、施術方法は爪を高温でプレスし成形するのだが、陥入爪は指の軟部組織に埋没しているため、陥入爪部のみを効率よく安全にプレスするのは無理である。
【０００６】このように従来の矯正治療は脆性化している陥入爪には不向きで、また弾性変形を利用した矯正具の場合、劈開を避けるため矯正力を調整しても、靴などの外力に圧せられ該矯正具は装着している陥入爪の矯正形状を維持できず、略湾曲状へ爪縁ともども変形してしまうことから、治療期間が長期化する問題もある。
【０００７】本発明は、このような問題に鑑みなされたもので、爪厚の薄い爪や老化し脆性化の進んだ爪等に発症した陥入爪に対しても、施術者の制御下で陥入爪部に無理な負担を強いることなく矯正治療を行うことができる固定形状型の陥入爪矯正具の提供を課題とする。
【課題を解決するための手段】
【０００８】本発明は、前記課題を解決するために、以下の手段を採用した。すなわち、従来の矯正治療が困難であった爪厚の薄い陥入爪や脆性化が進んでいる陥入爪であっても、爪を形成するケラチンタンパク質を組成するポリペプチド側鎖結合の再架橋と併用しながら本発明の陥入爪矯正具を用いることで矯正治療が安全に施せることをその要旨とする。
【０００９】請求項１の発明の陥入爪矯正具は、適宜な塑性特性を持つ金属または高分子化合物から少なくとも一つ以上の選択された材料を用い略Ｕ字状に折り曲げられて互いに対向し陥入爪を挿入する収容間隙を形成する第１押圧脚部と第２押圧脚部とその結合部からなる塑性加工構造を備え、該収容間隙に挿入された該陥入爪を該第１押圧脚部と該第２押圧脚部とを適宜な押圧力で塑性加工して該陥入爪を略平状に矯正し挟持する塑性加工構造であって、矯正治療の施術を行う際は、先ず爪を組成する該ポリペプチド側鎖結合を変性させることで該陥入爪の湾曲状を形成していた該側鎖結合を緩め成形が自由に行えるようにしてから該陥入爪矯正具に形成された該収容間隙に該陥入爪を挿入した後に該陥入爪の爪形を略平状へ該陥入爪の様態を観察しながら該塑性加工構造を塑性加工することで該陥入爪を所望の爪形へ矯正し挟持したら、該陥入爪の該側鎖結合を再架橋して所望の矯正形状へ固定化できる、塑性加工構造を具備した陥入爪矯正具を特徴とする。
【発明の効果】
【００１０】以上のように、本発明の陥入爪矯正具によれば、手術に頼ることなく爪厚の薄い爪や老化した爪など劈開しやすい陥入爪であっても安全に矯正治療が実施できる。また、早期再発の予防効果に対しても期待される。
【発明を実施するため最良の形態】
【００１１】本発明を図１〜図８に図示されている実施例に基づいて詳細に説明する。ただし、以下の形態に限定されず、種々変形して実施することができる。
【実施例１】陥入爪矯正具Ｋａの実施例について図１〜図２を参照して説明する。【００１２】図１に表れている陥入爪矯正具Ｋａはアルミニュウムから成り、互いに対向し陥入爪２を挿入する収容間隙１１を形成する第１押圧脚部２１と第２押圧脚部２２と該脚部の結合部２３から構成される。実施例の陥入爪矯正具Ｋａは幅Ｗ＝１１ｍｍ、奥行きＤ＝３ｍｍ、厚さＴ＝０．２ｍｍ、開口高Ｈｓ＝４ｍｍ、丈Ｈｒ＝１．５ｍｍに形成されている。【００１３】この陥入爪矯正具Ｋａは図２（ａ）に示すように陥入爪２の部分を収容間隙１１へ挿入して、図１（ｂ）が示している陥入爪矯正具Ｋａの塑性加工構造１Ａを図２（ｃ）が示すように陥入爪２が略平状に矯正されるよう塑性加工して使用するものである。【００１４】陥入爪矯正具の使用方法は図２を参照してさらに詳しく説明する。
（１）陥入爪矯正具Ｋａの使用に先立って、該ポリペプチド側鎖結合を変性させて陥入爪の形状を緩めるため、４２℃前後のお湯へ少なくとも陥入爪２を発症している足の指１を２０分以上の適宜時間浸ける。
（２）陥入爪２が適宜に変性したら、図２（ａ）が示すように陥入爪矯正具Ｋａの収容間隙１１へ陥入爪２を挿入し、陥入爪矯正具Ｋａの塑性加工構造１Ａを図２（ｃ）が示すように陥入爪２の状況を鑑みながら押圧力を加減して塑性加工しながら陥入爪２を矯正する。その際、陥入爪矯正具Ｋａの滑落を防止するのに接着剤を用いて固定してもよい。
（３）変性している陥入爪２の該側鎖結合を再架橋し矯正形状を固定するために図２（ｃ）が示すように陥入爪矯正具Ｋａを挟着した状態で約５時間以上適宜な自然乾燥を行う。なお、該ポリペプチド側鎖結合の変性および再架橋には、陥入爪の状態から鑑みて適宜に該ポリペプチド側鎖結合の組成から少なくとも一つ以上の結合を選択して行ってもよい。
【実施例２】
【００１５】第１押圧脚部２１へ蛇腹構造４１を具備した陥入爪矯正具Ｋｂの使用方法について図３〜図５を参照して説明する。
（１）収容間隙１１へ陥入爪２が嵌入できる収容間隙の形状へ曲げ加工するため、まず図３（ａ）ならびに（ｂ）が示すよう収容間隙１１が潰れないように適宜な硬度に調整されたスチロール樹脂製板状の詰物４２を収容間隙１１へ挿入したら、図４が示すように陥入爪２が嵌入できるよう曲げ加工を施す。
（２）陥入爪矯正具Ｋｂの使用に先立って、該ポリペプチド側鎖結合を変性させて陥入爪２の形状を緩めるため、４２℃前後のお湯へ少なくとも陥入爪２を発症してしいる足の指１を２０分以上の適宜時間浸ける。
（３）陥入爪２が十分変性した後、変性した陥入爪２へ図５（ａ）ならびに（ｂ）が示すように陥入爪矯正具Ｋｂの収容間隙１１へ陥入爪２を挿入したら、陥入爪矯正具Ｋｂの塑性加工構造１Ａおよび蛇腹構造４１を図５（ｃ）が示すように陥入爪２の状況を鑑みながら押圧力を加減し略平状へ矯正し挟持する。その際、陥入爪矯正具Ｋｂの滑落を防止するために接着剤を用いて固着してもよい。
（４）変性している陥入爪２の該側鎖結合を再架橋して矯正形状を固定化するために陥入爪矯正具Ｋｂを挟着した図５（ｃ）の状態で約５時間以上の適宜な自然乾燥を行う。
【実施例３】
【００１６】斜視図６は、脱落防止構造４３の実施例について示されている。陥入爪矯正具Ｋｃのように第１押圧脚部２１と第２押圧脚部２２の対向する爪接触部の先端箇所にハゼ加工を具備して脱落の防止作用と靴などの外力による陥入爪矯正具の変形を防止する補強の効果を得ている。なお陥入爪矯正具Ｋａの脚部を加工して具備するだけではなく高分子化合物または金属の材から適宜に選択して陥入爪矯正具Ｋａの適宜箇所に別の形態の脱落防止構造を具備してもよい。
【実施例４】
【００１７】図７に示されているのは陥入爪矯正具Ｋｄを形成する第２押圧脚部２２の形状を維持するための補強構造４４についての実施例を示している。図７は第２押圧脚部２２の適宜な箇所へビード加工による補強構造４４を施している一例である。なお陥入爪矯正具Ｋｄの補強構造４４ならびに塑性加工後の形状保持用に用いるビード加工は図７に拘束されること無く適宜形状で且つ適宜箇所へ配置することができる。
【実施例５】
【００１８】図８に示されている陥入爪矯正具Ｋｅは第１押圧脚部２１の適宜箇所へ適宜形状の凹部２４と対向する第２押圧脚部２２の適宜箇所へ適宜形状の凸部２５からなるストッパ構造２Ａを具備することで、収容間隙１１が開口するのを防止できることを特徴とする実施例を示し、図８（ａ）はストッパ構造２Ａの凹部２４と凸部２５が離脱し収容間隙１１が適宜量開口している斜視図である。図８（ｂ）に示されている斜視図は適宜な押圧力を第１押圧脚部２１と第２押圧脚部２２へ加えたことによりストッパ構造２Ａの凹部２４と凸部２５が嵌合することで、収容間隙１１が閉口して矯正力が働いている斜視図である。
【実施例６】
【００１９】図９に示されているのは陥入爪矯正具Ｋｆで、第１押圧脚部２１側に筒状体２７と対向する第２押圧脚部２２には先端方向に付勢するテーパーを形成した棒状体２６を設けて嵌合部を形成し、第１押圧脚部２１と第２押圧脚部２２を並進移動することで陥入爪２を挿入する収容間隙１１を狭めて圧しして狭持することで、陥入爪２を略平状に矯正できることを特徴としたストッパ構造２Ａを備えた実施例５の別の例である。嵌合部の筒状体−棒状体は円筒−円柱形以外に角筒形−角柱であっても勿論実施は可能である。また嵌合部の設置場所と数と大きさは適宜に選択されてよい。
【図面の簡単な説明】
【００２０】
【図１】（ａ）は本願発明の陥入爪矯正具Ｋａの実施例１を示す正面図。（ｂ）は（ａ）Ａ−Ａ練に沿う断面図。
【図２】（ａ）は同実施の形態における陥入爪矯正具Ｋａと足指の陥入爪との関係を示す側面図。（ｂ）は（ａ）Ｂ−Ｂ線に沿う正面断面図。（ｃ）は同実施の塑性加工矯正した陥入爪矯正具Ｋａと足指の陥入爪との関係を示す（ａ）Ｂ−Ｂ線に沿う正面断面図。
【図３】（ａ）は実施例２の陥入爪矯正具Ｋｂへ詰物４２を挿入した状態を示す斜視図。（ｂ）は（ａ）Ｃ−Ｃ線に沿う断面図。
【図４】実施例２の陥入爪矯正具Ｋｂを曲げ加工を施した形態を示す正面図。
【図５】（ａ）は曲げ加工を施した陥入爪矯正具Ｋｂと足指の陥入爪との関係を示す側面図。（ｂ）は（ａ）Ｄ−Ｄ線に沿う断面図。（ｃ）は陥入爪矯正具Ｋｂを塑性加工矯正した状態を示す（ａ）Ｄ−Ｄ線に沿う断面図。
【図６】実施例３に示されている陥入爪矯正具Ｋｃの形態を示す斜視図。
【図７】（ａ）は実施例４の形態を示す陥入爪矯正具Ｋｄの正面図。（ｂ）は（ａ）Ｅ−Ｅ線に沿う断面図。
【図８】実施例５に示されている陥入爪矯正具Ｋｅの形態を示す斜視図。
【図９】実施例６に示されている陥入爪矯正具Ｋｆの形態を示す斜視図。
【符号の説明】
【００２１】Ｋａ  は、陥入爪矯正具
Ｋｂ  は、陥入爪矯正具
Ｋｃ  は、陥入爪矯正具
Ｋｄ  は、陥入爪矯正具
Ｋｅ  は、陥入爪矯正具
Ｋｆ  は、陥入爪矯正具
１Ａ  は、塑性加工構造
２Ａ  は、ストッパ構造
１  は、足の指
２  は、陥入爪
１１  は、収容間隙
２１  は、第１押圧脚部
２２  は、第２押圧脚部
２３  は、結合部
２４  は、凹部
２５  は、凸部
２６  は、棒状体
２７  は、筒状体
４１  は、蛇腹構造
４２  は、詰物
４３  は、脱落防止構造
４４  は、補強構造
【図１】
2008295982.tif 000003
【図２】
2008295982.tif 000004
【図３】
2008295982.tif 000005
【図４】
2008295982.tif 000006
【図５】
2008295982.tif 000007
【図６】
2008295982.tif 000008
【図７】
2008295982.tif 000009
【図８】
2008295982.tif 000010
【図９】
2008295982.tif 000011
【手続補正書】
【提出日】平成20年7月24日(2008.7.24)
【手続補正１】
【補正対象書類名】特許請求の範囲
【補正対象項目名】全文
【補正方法】変更
【補正の内容】
【特許請求の範囲】
【請求項１】
矯正作用体は人の爪に発生した陥入爪の弾性変形より強く矯正形状を保持できる硬度を有する塑性材で形成され、人の爪に発生した陥入爪２の爪先に取着した後、該矯正作用体を該陥入爪２とともに略平状へ狭圧し塑性変形させることで該陥入爪２の矯正ができるものにおいて、陥入爪矯正具Ｋａは断面略Ｕ字状に折り曲げられて互いに対向し該陥入爪２を挿入する収容間隙１１を形成する第１押圧脚部２１と第２押圧脚部２２と該脚部の結合部２３から成る塑性加工構造１Ａを備え、該収容間隙１１に挿入された該陥入爪２を患者が所望する略平状の爪形へ形成できるまで該塑性加工構造１Ａを押圧することで、患者各々の爪質から鑑みた矯正治療が施せることを特徴とする、塑性加工矯正法による陥入爪矯正具。
【請求項２】
矯正作用体は人の爪に発生した陥入爪の弾性変形より強く矯正形状を保持できる硬度を有する塑性材で形成され、該陥入爪２の爪先が嵌入できるように類似形状へ該矯正作用体を成形して、該陥入爪２の爪先を収容間隙１１へ嵌入した後、該陥入爪２もろとも略平状へ塑性加工することで該陥入爪２を矯正するものにおいて、陥入爪矯正具Ｋｂは断面略Ｕ字状に折り曲げられて互いに対向する第１押圧脚部２１と第２押圧脚部２２と該脚部の結合部２３で略平状に形成され、第１押圧脚部２１には伸縮により塑性加工を促進する蛇腹構造４１が具備され、該陥入爪２へ取着する場合、蛇腹構造４１を用い、該陥入爪２の形状に合わせて湾曲状に形成した後、該陥入爪２の爪先線端部を該収容間隙１１へ嵌入し、該陥入爪２を患者が所望する略平状の爪形へ形成できるまで該陥入爪矯正具Ｋｂもろとも押圧し矯正することで、患者が所望する爪形状に矯正治療が施せることを特徴とする、塑性加工矯正法による陥入爪矯正具。
【手続補正２】
【補正対象書類名】明細書
【補正対象項目名】０００９
【補正方法】変更
【補正の内容】
【０００９】請求項１の発明の陥入爪矯正具Ｋａは、適宜な塑性特性を持つ金属または高分子化合物から少なくとも一つ以上の選択された材料を用い略Ｕ字状に折り曲げられて互いに対向し陥入爪２を挿入する収容間隙１１を形成する第１押圧脚部２１と第２押圧脚部２２とその結合部２３からなる塑性加工構造１Ａを備え、該収容間隙１１に挿入された該陥入爪２を該第１押圧脚部２１と該第２押圧脚部２２とを適宜な押圧力で塑性加工して略平状に矯正し挟持する塑性加工構造１Ａであって、矯正治療の施術を行う際は、先ず爪を組成する該ポリペプチド側鎖結合を変性させることで該陥入爪２の湾曲状を形成していた該側鎖結合を緩め成形が自由に行えるようにしてから該収容間隙１１に該陥入爪２を挿入した後に該陥入爪２の爪形を患者が所望する爪形へ形成できるよう該陥入爪２の様態を観察しながら該塑性加工構造Ａ１を塑性加工し該陥入爪２へ挟持することで患者の所望する爪形へ矯正できる、該塑性加工構造１Ａを具備した陥入爪矯正具の提供。
請求項２記載の陥入爪矯正具Ｋｂは、適宜な塑性材料を用い、図３に表れるように略Ｕ字状に折り曲げられて互いに対向し第１押圧脚部２１と第２押圧脚部２２とその結合部２３は該陥入爪２を挿入する収容間隙１１を形成し、第１押圧脚部２１には塑性加工を促進する蛇腹構造４１が具備され、該収容間隙１１に該陥入爪２を取着する場合、図４に表れるように、蛇腹構造４１を用い、該陥入爪２が嵌入できる適宜な形状に陥入爪矯正具Ｋｂを湾曲状へ形成した後（図４参照）、図５（ａ，ｂ）に表れるように該陥入爪２を該陥入爪矯正具Ｋｂへ嵌入し、図５（ｃ）に表れるように患者が所望する略平状へ該陥入爪２の様態を観察しながら該陥入爪矯正具Ｋｂを施術者の制御の元で塑性加工して、該陥入爪２を保持することで、患者の所望する爪形へ容易に修復が行える、塑性加工を促進する蛇腹構造４１を具備して成すことを特徴とする、陥入爪矯正具の提供。
【手続補正３】
【補正対象書類名】明細書
【補正対象項目名】００１１
【補正方法】変更
【補正の内容】
【００１１】
本発明を図１〜図８に図示されている実施例に基づいて詳細に説明する。ただし、以下の形態に限定されず、種々変形して実施することができる。
【実施例１】
請求項１記載の陥入爪矯正具Ｋａの実施例について図１〜図２を参照して説明する。
【手続補正４】
【補正対象書類名】明細書
【補正対象項目名】００１５
【補正方法】変更
【補正の内容】
【００１５】
【実施例２】
請求項２記載の陥入爪矯正具Ｋｂの実施例について図３〜図５を参照して説明する。
図３に表れている陥入爪矯正具Ｋｂは、断面略Ｕ字状を形成するのは第１押圧脚部２１と第２押圧脚部２２と該脚部の結合部２３で、該第１押圧脚部２１の略中央には塑性加工を容易にする蛇腹構造４１を具備して構成される。蛇腹構造４１は矯正具の曲げ伸ばしを容易にするための構造であって、その形状は外方に突出する山部と内方に凹設する谷部からなるが、爪接触方向には山部は突出しない。本発明で適用できる蛇腹構造４１の蛇腹ピッチ、蛇腹外径、蛇腹形状などは、いかなる形状も適用でき、本発明による製品で要求される性能に応じたものを選択することができる。更に、蛇腹ピッチ、蛇腹外径、蛇腹形状なとは蛇腹を構成する材料などによっても変える必要があるが、それらの使用する材料に応じた構造を選べることももちろんである。
第１押圧脚部２１へ蛇腹構造４１を具備した陥入爪矯正具Ｋｂの使用方法について図３〜図５を参照して説明する。
（１）収容間隙１１へ陥入爪２が嵌入できる形状へ曲げ加工するため、まず図３（ａ）ならびに（ｂ）が示すよう収容間隙１１が潰れないように適宜な硬度に調整された、例えばスチロール樹脂製板状の詰物４２を収容間隙１１へ挿入したら、図４が示すように該陥入爪２が嵌入できるよう曲げ加工を施す。
（２）陥入爪矯正具Ｋｂの使用に先立って、該ポリペプチド側鎖結合を変性させて陥入爪２の形状を緩めるため、４２℃前後のお湯へ少なくとも陥入爪２を発症している足の指１を２０分以上の適宜時間浸ける。
（３）陥入爪２が十分変性した後、変性した陥入爪２へ図５（ａ）ならびに（ｂ）が示すように陥入爪矯正具Ｋｂの収容間隙１１へ陥入爪２を挿入したら、陥入爪矯正具Ｋｂの塑性加工構造１Ａおよび蛇腹構造４１を図５（ｃ）が示すように陥入爪２の状況を鑑みながら押圧力を加減し略平状へ矯正し挟持する。その際、陥入爪矯正具Ｋｂの滑落を防止するために接着剤を用いて固着してもよい。
（４）変性している該陥入爪２の該側鎖結合を再架橋して矯正形状を固定化するために陥入爪矯正具Ｋｂを挟着した図５（ｃ）の状態で約５時間以上の適宜な自然乾燥を行う。